(57)【要約】  【課題】  認証を必要とするシステムの利用時の認証処理の情報入力における利用者の利便性をより向上させること。  【解決手段】  ＰＣ−ＦＡＸドライバにより認証を行う場合、事前にＰＣ−ＦＡＸドライバに設けられているアドレス帳への登録処理を行う。アドレス帳Ｓｐｅｅｄ１８０に「ＲＩＣＯＨ」、Ｑｕｉｃｋ１４４に「Ｆｕｊｉｗａｒａ１２」を登録する。ここでは設定されている通りの文字列を登録する。ＰＣ−ＦＡＸドライバにより認証を行う際、ユーザー名称入力画面を起動させ、この状態において、アドレス帳を開いてＳｐｅｅｄ１８０を選択すると、ユーザー名称の入力欄に「ＲＩＣＯＨ」が入力される。パスワードの入力欄に移動し、Ｑｕｉｃｋ１４４を選択するとパスワードの入力欄に「Ｆｕｊｉｗａｒａ１２」が入力される。ユーザー名称、パスワードの入力終了後、入力情報をＭＦＰ１０へ通知する。  【選択図】  図１
2006345232.tif 000002
【特許請求の範囲】
【請求項１】
識別子および前記識別子に対応付けられたパスワードの入力を促す認証情報入力画面を表示する表示手段と、
少なくとも、前記識別子および前記パスワードのうち一方の文字列情報を有する登録情報を格納する記憶手段と、
前記認証情報入力画面が表示された際に、前記登録情報の一覧を提示する提示手段と、
前記提示手段で提示された前記登録情報の一覧から選択された文字列情報を、前記認証情報入力画面の所定の欄に入力する選択入力手段と、
前記認証情報入力画面の所定の欄に入力された、前記識別子および前記パスワードの入力情報を受け付ける受付手段と、
前記受付手段により受け付けられた入力情報に基づいて、前記識別子の認証を要求する認証要求手段と、
を備えたことを特徴とする認証システム。
【請求項２】
前記登録情報は、前記識別子および前記パスワードのうち少なくとも一方の文字列情報の一部を有することを特徴とする請求項１記載の認証システム。
【請求項３】
前記登録情報は、前記識別子および前記パスワードのうち少なくとも一方の文字列情報において、先頭の文字情報、または、先頭および最後尾の文字情報を欠いた文字列情報を有することを特徴とする請求項１記載の認証システム。
【請求項４】
前記提示手段による前記登録情報の提示の有無の任意設定を可能にする、または、前記登録情報に登録可能な情報の範囲の任意設定を可能にする制限手段を備えたことを特徴とする請求項１、請求項２または請求項３記載の認証システム。
【請求項５】
端末装置上で作成した任意の文書データを、前記端末装置とネットワーク接続されたファクシミリ通信機能を有する通信装置から電話回線を通じて相手先に直接ファクシミリ送信することを可能にするＰＣ−ＦＡＸドライバを有するＰＣ−ＦＡＸシステムにおいて、
前記端末装置と前記通信装置間における認証処理における情報の入力処理を請求項１、請求項２、請求項３または請求項４記載の認証システムを用いて行うことを特徴とするＰＣ−ＦＡＸシステム。
【請求項６】
少なくとも、識別子および前記識別子に対応付けられたパスワードのうち一方の文字列情報を有する登録情報を格納する記憶手段を備え、前記識別子および前記パスワードの入力情報に基づいて認証処理を行う認証システムに、
前記識別子および前記パスワードの入力を促す認証情報入力画面を表示する表示機能と、
前記認証情報入力画面が表示された際に、前記登録情報の一覧を提示する提示機能と、
前記提示機能で提示された前記登録情報の一覧から選択された文字列情報を、前記認証情報入力画面の所定の欄に入力する選択入力機能と、
前記認証情報入力画面の所定の欄に入力された、前記識別子および前記パスワードの入力情報を受け付ける受付機能と、
前記受付手段により受け付けられた入力情報に基づいて、前記識別子の認証を要求する認証要求機能と、
を実現させるための認証プログラム。
【発明の詳細な説明】
【技術分野】
【０００１】
本発明は、ＰＣ（パーソナルコンピュータ）等の端末装置から相手先のＦＡＸ（ファクシミリ）装置へダイレクトに文書データを送信することが可能なＰＣ−ＦＡＸ送信における認証システム、ＰＣ−ＦＡＸシステムおよび認証プログラムに関する。
【背景技術】
【０００２】
近年のネットワーク技術の発展に伴い、ＬＡＮ等のネットワークに接続されたＦＡＸ装置におけるデータ処理技術も向上しつつある。
ＦＡＸ通信の技術の１つに、下記の特許文献に開示されているような、ペーパーレスのＦＡＸ通信の実現化を可能にするＰＣ−ＦＡＸシステムがある。
【特許文献１】特開２００５−３９３８３公報
【０００３】
特許文献１に開示されているように、ＰＣ−ＦＡＸシステムとは、専用のＦＡＸソフト（ＰＣ−ＦＡＸドライバ）を用いて、ＰＣなどの端末装置上で作成した文書などをプリンタに印刷する場合と同じように、電話回線を通じて相手方のファクシミリに送信可能なシステムである。
このようなＰＣ−ＦＡＸシステムを用いることにより、各種アプリケーションで作成したデータを端末装置から相手先のＦＡＸ装置へダイレクトに送信することが可能になる。
【発明の開示】
【発明が解決しようとする課題】
【０００４】
上述したような、ＰＣ−ＦＡＸドライバを起動させて、ＰＣ等の端末装置から相手先のＦＡＸ装置へダイレクトに文書データを送信することが可能なＰＣ−ＦＡＸシステムを利用する場合、次のような情報の入力方法を用いて認証処理を行っている。
（１）ユーザー名称とパスワードを一度の入力で認証する方法。
（２）ユーザー名称とパスワードを二度の入力で認証する方法。
【０００５】
ユーザー名称とパスワードを一度の入力で認証する方法は、ＰＣ等の端末装置に周辺装置を接続してＩＣ／磁気カードの読み取り処理やバイオメトリクス認証（指紋認証、虹彩認証等）処理をさせる。
また、ユーザー名称とパスワードを二度の入力で認証する方法は、磁気カードを読み取らせて入力する方法も想定されるが、一般には、特別な装置を必要としない方法として、ＰＣ−ＦＡＸドライバの設定項目の１項目にユーザー名称とパスワードを入力する欄を設け、これらの欄にキーボードから該当情報を入力する方法が用いられる。
【０００６】
しかしながら、ユーザー名称とパスワードを一度の入力で認証する方法は、概して用いられる装置の構造が複雑であり、コストも高いものとなってしまう。
また、ユーザー名称とパスワードを二度の入力で認証する方法は、ユーザー名称とパスワードをキーボードから手入力しなければならないため、入力作業が煩わしいものとなり、利用者の利便性に問題がある。
そこで本発明は、認証を必要とするシステムの利用時の認証処理の情報入力における利用者の利便性をより向上させることができる認証システム、ＰＣ−ＦＡＸシステムおよび認証プログラムを提供することを目的とする。
【課題を解決するための手段】
【０００７】
請求項１記載の発明では、識別子および前記識別子に対応付けられたパスワードの入力を促す認証情報入力画面を表示する表示手段と、少なくとも、前記識別子および前記パスワードのうち一方の文字列情報を有する登録情報を格納する記憶手段と、前記認証情報入力画面が表示された際に、前記登録情報の一覧を提示する提示手段と、前記提示手段で提示された前記登録情報の一覧から選択された文字列情報を、前記認証情報入力画面の所定の欄に入力する選択入力手段と、前記認証情報入力画面の所定の欄に入力された、前記識別子および前記パスワードの入力情報を受け付ける受付手段と、前記受付手段により受け付けられた入力情報に基づいて、前記識別子の認証を要求する認証要求手段と、を備えることにより前記目的を達成する。
【０００８】
請求項２記載の発明では、請求項１記載の発明において、前記登録情報は、前記識別子および前記パスワードのうち少なくとも一方の文字列情報の一部を有する。
請求項３記載の発明では、請求項１記載の発明において、前記登録情報は、前記識別子および前記パスワードのうち少なくとも一方の文字列情報において、先頭の文字情報、または、先頭および最後尾の文字情報を欠いた文字列情報を有する。
請求項４記載の発明では、請求項１、請求項２または請求項３記載の発明において、前記提示手段による前記登録情報の提示の有無の任意設定を可能にする、または、前記登録情報に登録可能な情報の範囲の任意設定を可能にする制限手段を備える。
【０００９】
請求項５記載の発明では、端末装置上で作成した任意の文書データを、前記端末装置とネットワーク接続されたファクシミリ通信機能を有する通信装置から電話回線を通じて相手先に直接ファクシミリ送信することを可能にするＰＣ−ＦＡＸドライバを有するＰＣ−ＦＡＸシステムにおいて、前記端末装置と前記通信装置間における認証処理における情報の入力処理を請求項１、請求項２、請求項３または請求項４記載の認証システムを用いて行うことにより前記目的を達成する。
【００１０】
請求項６記載の発明では、少なくとも、識別子および前記識別子に対応付けられたパスワードのうち一方の文字列情報を有する登録情報を格納する記憶手段を備え、前記識別子および前記パスワードの入力情報に基づいて認証処理を行う認証システムに、前記識別子および前記パスワードの入力を促す認証情報入力画面を表示する表示機能と、前記認証情報入力画面が表示された際に、前記登録情報の一覧を提示する提示機能と、前記提示機能で提示された前記登録情報の一覧から選択された文字列情報を、前記認証情報入力画面の所定の欄に入力する選択入力機能と、前記認証情報入力画面の所定の欄に入力された、前記識別子および前記パスワードの入力情報を受け付ける受付機能と、前記受付手段により受け付けられた入力情報に基づいて、前記識別子の認証を要求する認証要求機能と、を実現させることにより前記目的を達成する。
【発明の効果】
【００１１】
請求項１、５、６記載の発明によれば、認証処理時における識別子とパスワードの入力作業の簡略化を図ることができる。
請求項２または請求項３記載の発明によれば、登録情報に前記識別子および前記パスワードのうち少なくとも一方の文字列情報の一部を登録することにより、認証情報の入力操作の段階において必然的に利用者による欠けている情報の補足がなされる状態となる。従って、登録情報に識別子およびパスワードのうち少なくとも一方における全ての文字列情が登録される場合と比較して、セキュリティレベルを向上させることができる。
請求項４記載の発明によれば、所定項目の任意設定を可能にすることにより、容易に適切なシステム環境を設定（構築）することができ、利用者の利便性を向上させることができる。
【発明を実施するための最良の形態】
【００１２】
以下、本発明の認証システムの好適な実施の形態について、ＰＣ−ＦＡＸシステムを例にとり、図１から図１０を参照して詳細に説明する。
図１は、本実施の形態に係るＰＣ−ＦＡＸシステムの概略構成を示した図である。
図１に示すように、ＰＣ−ＦＡＸシステムは、ＭＦＰ（複合装置）１０、ＭＦＰ１０とＬＡＮ（ローカル・エリア・ネットワーク）４０を介して接続されたＰＣ端末２０および管理サーバー３０を備えている。
なお、ＭＦＰ１０は、電話回線網５０を介してＦＡＸ装置６０と接続されている。
【００１３】
ＭＦＰ１０は、ＦＡＸ、コピー、プリンタ、スキャナ等の機能を有する複合装置であり、電話回線網５０を通じてＦＡＸ送受信が可能である。
ＰＣ端末２０は、ユーザーがＦＡＸ文書管理に用いるＦＡＸ文書通信機能が搭載されたクライアント端末である。
管理サーバー３０は、管理データベースを有するネットワーク管理用のサーバー装置であり、ＬＡＮ４０に接続されている装置のドメインを管理するドメインコントローラとして機能する。
【００１４】
図２は、本実施の形態に係るＭＦＰ１０の概略構成を示した図である。
スキャナ１０１は、例えば、ＣＣＤ（電荷結合素子）を用いたイメージスキャナであり、ファクシミリ送信時や情報サービス用の画像登録時、原稿を走査して原稿の画像を光学的に読み取る。
また、スキャナ１０１は、読み取った画情報を２値化し画像データとし、符号化された画像データ（生データ）の圧縮、圧縮された画像データ（圧縮データ）の伸張、フォーマット変換、原稿読み取り時における縮小、拡大などの変倍処理、あるいは線密度変換処理などを行うものである。
【００１５】
プロッタ１０２は、例えば、レーザプリンタやインクジェット方式のプリンタであり、プロッタ１０２のページメモリに蓄積された画像データを受け取り、画情報を記録紙上に出力する。
ここで、ページメモリに対し、システム制御部１０９で書き込み指定された画像ファイル、あるいは、画像メモリ１０４に蓄積された画像ファイルがページごとに蓄積され、順次、プロッタ１０２の記録素子部に転送される。
また、プロッタ１０２は、符号化された画像データ（生データ）の圧縮、圧縮された画像データ（圧縮データ）の伸張、フォーマット変換、変倍処理などを行う。
【００１６】
符号化復号化部１０３は、送信する画情報を一定の符号化法によりデータ圧縮する一方、受信した画情報を復号化して元の画情報に復元するものである。
画像メモリ１０４は、例えば、磁気ディスク装置で構成されており、受信した複数の受信画像データ、送信する複数の送信画像データをファイルとして蓄積する。なお、画像メモリ１０４は、磁気ディスク装置に限定されるものではなく、基板に実装されるＳＲＡＭモジュールや、カードスロットに挿入されるメモリカードなどで構成してもよい。
【００１７】
情報ボックス用メモリ１０５は、ファクシミリ情報サービスで提供する情報の画像データ（文書ファイル）を蓄積するものである。この文書ファイルごとに登録番号、名称などが付与され、情報ボックス用メモリ１０５の所定領域（情報ボックス）に登録されている。
操作表示部１０６は、テンキー、スタートキー、ストップキー、短縮キーなどのキー群（メカニカルキーやタッチパネルキーで構成）、ＬＥＤやＬＣＤなどの表示器、ブザーなどを具備し、ユーザーによるキー操作（例えば、画像データの登録や設定のための操作）で入力されたデータをシステム制御部１０９に渡す一方で、システム制御部１０９の指示を受け、装置の動作状態などを表示したり、ブザー鳴動を行うものである。
網制御部（ＮＣＵ）１０８は、電話回線（ＰＳＴＮ）と接続し、回線の閉結や、呼出信号（リンギング）の検出など、発着信の際に必要な所定の回線制御を行うものである。
【００１８】
また、モデム１０７は、画情報と伝送制御のための手順信号を送受信し、相手先通信端末より受信した受信画像データ（変調済み）を復調する一方で、送信時の送信画像データを変調する。
システム制御部１０９は、マイクロコンピュータなどで構成され、ＲＯＭ１１０内のプログラムに従ってファクシミリ各部を制御し、各種機能を実行する。
また、システム制御部１０９は、画像メモリ１０４に蓄積する画情報を管理するファイル管理機能、時計機能、カウンタ機能などを有し、網制御部１０８、ＡＴコマンド解析部１１３などを制御する。
【００１９】
さらに、システム制御部１０９は、ＮＣＵ１０８にて検出されたリンギング電圧のパルスの検出や、ＤＴＭＦ信号の検出、トーン信号の検出、送信時の発呼制御などを行う。
ＲＯＭ１１０、ＲＡＭ１１１は、システムメモリを構成する。ＲＯＭ１１０は、不揮発メモリからなり、ファクシミリ装置としての基本プログラムや後述の送受信動作を実行するためのプログラムなどを格納している。
なお、前記プログラムが膨大である場合は、ＲＯＭ１１０の他に磁気ディスク装置などを搭載しそこにプログラムを格納することも可能である。
また、画像メモリ１０４を磁気ディスク装置で構成する場合には、システムメモリと画像メモリ１０４を共通化することも可能である。
【００２０】
なお、ＲＯＭ１１０においては、キャラクタ情報を格納する領域を持たせることも可能である。
また、ＲＡＭ１１１は、バッテリーバックアップすることによって必要情報を保持することも可能であり、プログラム実行に必要な情報を記憶すると共にワークエリアとして使用される。
【００２１】
シリアルインタフェース（シリアルＩ／Ｆ）１１２は、ファクシミリ装置とＰＣ端末２０とを接続し、データ通信を可能にするためのインタフェースである。
本実施形態では、シリアルＩ／Ｆ１１２を用い、ＰＣ端末２０からモデム１０７を制御しているが、これに限らず、ＰＣ端末２０からモデム１０７を制御することが可能であれば、パラレルインタフェース、ＵＳＢなど、他の方式で接続する形態としてもよい。
ＡＴコマンド解析部１１３は、ＰＣ端末２０から転送されるＡＴコマンドを解析してＡＴコマンド／レスポンス手順を実行する。
【００２２】
システム制御部１０９、システムメモリ（ＲＡＭ１１１、ＲＯＭ１１０）、スキャナ１０１、プロッタ１０２、操作表示部１０６、画像メモリ１０４、網制御部（ＮＣＵ）１０８、符号化復号化部１０３、情報ボックス用メモリ１０５、モデム１０７、シリアルインタフェース１１２、ＡＴコマンド解析部１１３は、システムバスに接続され、各部の間のデータ送受は主としてシステムバスを介して行われる。また、モデム１０７と網制御部１０８との間のデータ授受は直接行われる。
【００２３】
図３は、本実施の形態に係るＰＣ端末２０のハードウェアの構成の一例を示した図である。
ＰＣ端末２０は、制御部２００にバスライン２２８を介して入力装置２２４、出力装置２２５、入出力Ｉ／Ｆ（インタフェース）２２６、記憶装置２２７などが接続して構成されている。
【００２４】
制御部２００は、ＣＰＵ（中央演算処理装置）２２１、ＲＯＭ（リード・オンリ・メモリ）２２２、ＲＡＭ（ランダム・アクセス・メモリ）２２３などから構成されている。
制御部２００は、ＯＳ（オペレーティング・システム）やＰＣ−ＦＡＸプログラムに従って動作し、プログラムで規定された所定の演算や画面の表示といったＰＣ端末２０全体の制御を行う。
【００２５】
ＣＰＵ２２１は、制御部２００の中心的なデバイスであって、ＲＯＭ２２２や記憶装置２２７または図示しない記憶媒体駆動装置によって駆動される記憶媒体などからプログラムをロードし、プログラムに従って制御部２００を制御する。
また、ＣＰＵ２２１は、レジスタなどと呼ばれる内部記憶媒体（記憶領域）を複数内蔵している。ＣＰＵ２２１は、外部の記憶媒体などから内部記憶媒体にデータを一時的に記憶し、これを演算処理する。演算結果はレジスタに出力され、さらにレジスタから外部の記憶媒体などに出力される。
【００２６】
ＲＯＭ２２２は、ＣＰＵ２２１が各種演算や制御を行うための各種プログラム、データおよびパラメータなどを格納した主記憶装置である。ＲＯＭ２２２は、不揮発性のメモリであって、ＲＯＭ２２２に供給される電力がゼロの状態でも記憶内容は保持される。また、ＲＯＭ２２２は、読み込み専用のメモリであるため、通常はデータの書き込みは行われない。
ＲＡＭ２２３は、ＣＰＵ２２１にワーキングメモリとして使用される主記憶装置である。ＣＰＵ２２１は、ＲＡＭ２２３にプログラムやデータなどを書き込んだり消去したりすることができる。
【００２７】
入力装置２２４は、例えばキーボードやマウス、タブレットなどの入力装置から構成されている。
キーボードは、カナや英文字などを入力するためのキーや数字を入力するためのテンキー、各種機能キー、カーソルキーおよびその他のキーによって構成されている。
キーボードからは、ＰＣ端末２０に対して文字や数字などの情報を入力することができる他、メニュー画面から印刷処理等のコマンドを選択したりすることもできる。
【００２８】
さらに、キーボードから、例えばユーザーが当該ＰＣ−ＦＡＸシステムにログインするためのログインＩＤやパスワード、また、ＰＣ−ＦＡＸドライバが提示する所定の項目（ユーザー名称やパスワード）を入力したり、あるいは各種プログラムを操作したりすることができる。
マウス、およびタブレットは、ポインティングデバイスである。ＧＵＩ（グラフィカル・ユーザー・インタフェース）などを用いてＰＣ端末２０を操作する場合、表示装置上に表示されたボタンやアイコンなどをマウスなどでクリックすることにより、所定の情報の入力を行うことができる。
【００２９】
出力装置２２５は、ＰＣ端末２０で処理された結果を外部出力する装置であり、処理結果が視覚的に認識可能な表示装置から構成されている。
表示装置は、例えばＣＲＴ（Ｃａｔｈｏｄｅ  Ｒａｙ  Ｔｕｂｅ）ディスプレイ、液晶ディスプレイ、プラズマディスプレイなどで構成される。
記憶装置２２７は、読み書き可能な記憶媒体と、その記憶媒体に対してプログラムやデータを読み書きするための駆動装置とによって構成されている。当該記憶媒体として主にハードディスクが使用されるが、その他に、例えば、光磁気ディスク、磁気ディスク、半導体メモリなどの他の読み書き可能な記憶媒体によって構成することも可能である。
【００３０】
記憶装置２２７には、ＰＣ−ＦＡＸドライバやＰＣ端末２０を機能させるための基本的なプログラムであるＯＳ（オペレーション・システム）などのソフトウェアや各種データが所定の記憶領域に格納されている。
ＰＣ−ＦＡＸドライバは、パソコン通信用のソフトウェアであり、ＭＦＰ１０との間で所定のＡＴコマンドを用いてファクシミリ形式の文書を送受可能に構成されている。
【００３１】
入出力Ｉ／Ｆ（インタフェース）２２６は、例えば、シリアルインタフェースやその他の規格のインタフェースにより構成されている。入出力Ｉ／Ｆ２２６に当該インタフェースに対応した外部機器を接続することにより、ＰＣ端末２０の機能を拡張することができる。
ユーザーは、以上のようにして構成されたＰＣ端末２０を用いて、各種のＰＣ−ＦＡＸ通信処理をコンピュータ上で実行させることができる。
【００３２】
次に、本実施の形態に係るＰＣ−ＦＡＸシステムの有する機能の概要について説明する。
本実施の形態に係るＰＣ−ＦＡＸシステムは、利用者制限機能を有している。この機能は、ローカル認証処理において、入力されたユーザーコードとＭＦＰ１０に記憶されているユーザーコードとが一致していることを判断することによって認証（アクセス権）を与える機能である。
なお、ユーザーコードはセキュリティ上の対応から、ＭＦＰ１０およびＰＣ端末２０における表示画面上またはレポート上では表示しないようになっている。
【００３３】
また、本実施の形態に係るＰＣ−ＦＡＸシステムは、簡単に情報を入力する手段として、ワンタッチキーに割り付けてユーザーコードを入力する機能を備えている。この機能は、予め、登録処理を行うことにより誰でも使用することができる。なお、この機能の認証機能は備えていないが、ユーザー管理をする際に用いることができる。
また、ＰＣ−ＦＡＸシステムで用いられるＰＣ−ＦＡＸドライバ（ＦＡＸソフト）に関しても、利用者制限をするためにユーザーコードを入力できるように構成されている。ここでは、ＭＦＰ１０にユーザーコードを送信することによりローカル認証ができるように構成されている。
【００３４】
近年、情報を一元管理できるメリットから、認証形態の主流がローカル認証からネットワーク認証に移行しつつある。
そこで、本実施の形態に係るＰＣ−ＦＡＸシステムでは、ＰＣ−ＦＡＸドライバの構造をネットワーク認証に対応させるために大幅な変更をすることなく、ＭＦＰ１０側で対応しているネットワーク認証の構造を利用して、ＰＣ−ＦＡＸにおけるネットワーク認証を実施することができる方法が用いられている。
【００３５】
本実施の形態は、ＭＦＰ１０のネットワーク認証機能を利用する場合のＰＣＦＡＸドライバであっても、簡単にユーザー名称、パスワード等の情報の入力が可能な構成を用い、かつ認証処理にも対応可能なＰＣ−ＦＡＸシステムを構成する。
詳しくは、本実施の形態に係るＰＣ−ＦＡＸシステムにおいては、ユーザー名称またはパスワードの一部をアドレス帳に文字列として登録できるように構成されている。
【００３６】
例えば、ＰＣ−ＦＡＸドライバの設定（操作）画面における、ユーザー名称とパスワードを入力する段階で、ユーザー名称の一部を登録したアドレス帳とテンキーを組み合せて入力するようになっている。
このように、ユーザー名称の一部を登録したアドレス帳とテンキーを組み合せて入力することにより、ユーザー名称の全部を直接一度に入力する場合よりもセキュリティ上強固な入力処理を簡単に行うことができる。
【００３７】
次に、本実施の形態に係るＰＣ−ＦＡＸシステムにおける認証処理の詳細について説明する。
はじめに、利用者制限時のワンタッチダイヤルキー（ＭＦＰ１０からの指定）およびアドレス帳（ＰＣ−ＦＡＸドライバからの指定）の使用形態について説明する。
ユーザーは、親展ボックス設定を登録する際に、ワンタッチダイヤルキーのキー割り付け処理を実行する。
【００３８】
なお、親展ボックスとは、ＭＦＰ１０を利用者やセクションごとの私書箱のように利用することを可能にする機能である。
詳しくは、親展ボックスを設定すると、送信元からの送信文書を他人に見られることなく受信することができる。また、親展ボックスに配信先を登録しておくと、受信した文書を自動的に配信先に送信させることができる。本実施の形態では、ＭＦＰ１０で受信した文書をＰＣ端末２０における出力装置２２５の表示装置で確認することができるように構成されている。
【００３９】
ワンタッチダイヤルキーのキー割り付け処理は、ＭＦＰ１０において所定のキー割り付けプログラムを起動させることにより行う。
ユーザーは、図４（ａ）に示す設定条件選択画面において、「キー割り付け」の番号、即ち「３」をテンキーを用いて入力する。
そして、図４（ｂ）に示すキー割り付けの設定画面を表示させ、親展ボックスを登録するワンタッチキーを設定する。
なお、図４（ｂ）に示す画面において、「登録状況」を選択（押下）することにより、現時点におけるワンタッチキーに登録されている内容を表示させることができる。
【００４０】
次に、ユーザーコードの入力操作時にワンタッチダイヤルキーを用いる方法について説明する。
ユーザーコードの入力操作時にワンタッチダイヤルキー、即ち指定機能を用いて直接入力する場合、ユーザーは、ユーザーコードが登録されているワンタッチキーを押下（選択）する。すると、図４（ｃ）に示すように確認画面が表示される。ここで、「する」を押下（選択）することにより、ユーザーコードが設定（入力）される。
なお、上述したワンタッチダイヤルキーのキー割り付け処理は、ＭＦＰ１０において実行されるものであるが、本実施の形態に係るＰＣ−ＦＡＸシステムでは、これと同様の機能をＰＣ−ＦＡＸドライバを起動させたＰＣ端末２０においても実行可能に構成されている。
【００４１】
本実施の形態に係るＰＣ−ＦＡＸシステムは、ＭＦＰ１０または管理サーバー３０に利用者制限機能を設けている。
ＰＣ−ＦＡＸシステムにおいて、利用者制限が設定されている場合には、利用者はシステムを利用する際にユーザーコードを指定する必要がある。
ユーザーコードの指定は、ＭＦＰ１０またはＰＣ端末２０において図４（ｄ）に示す、ユーザーコードの指定画面を起動し、該当するユーザーコードを入力することにより行うことができるようになっている。
【００４２】
このユーザーコードの指定は、指定画面を起動（表示）させた状態において、上述したワンタッチダイヤルキーによるユーザーコードの設定機能を用いるようにしてもよい。
このように、ユーザーコードの指定（入力）の際に、ワンタッチダイヤルキーによる設定機能を用いることにより、ユーザーコードの入力操作を簡単に行うことができ、利便性を向上させることができる。
なお、この利用者制限は、ネットワーク認証ではなく単にユーザーの利用履歴（例えば、使用数など）を管理するために使用することが望ましい。
また、ＰＣ−ＦＡＸドライバ（ＰＣ端末２０）からユーザーコードの指定を行う時には、入力の手間を簡単にする目的で、予めユーザーコード等の情報が登録されているアドレス帳を使用するようにしてもよい。
【００４３】
次に、本実施の形態に係るＰＣ−ＦＡＸシステムにおけるユーザーの認証操作方法について説明する。
なお、本実施の形態に係るＰＣ−ＦＡＸシステムでは、ＭＦＰ１０側においてＬＡＮ４０の認証（ネットワーク認証）の構造（機能）を装備していることを前提とする。そして、ＰＣ端末２０側で実行されるＰＣ−ＦＡＸドライバを用いた認証処理、即ちユーザーによる認証操作は、直接ＬＡＮ４０の認証（ネットワーク認証）を行うことなく、ＰＣ端末２０からＭＦＰ１０に対してユーザー名称とパスワードを通知し、ＭＦＰ１０において認証することを想定している。
【００４４】
本実施の形態に係るＰＣ−ＦＡＸシステムにおけるユーザーの認証を行う場合には、事前にドメインコントローラの名称をＭＦＰ１０に登録しておく。
ドメインコントローラとは、ＬＡＮ４０に接続されている装置のドメインを管理する機能であり、本実施の形態では、管理サーバー３０がその機能を担っている。
ドメインコントローラの名称の登録処理は、ＭＦＰ１０において所定のドメインコントローラ登録プログラムを起動させることにより行う。
【００４５】
ユーザーは、図５（ａ）に示す設定項目の選択画面において、「サーバードメイン名」の番号、即ち「５」をテンキーを用いて入力する。
そして、図５（ｂ）に示すサーバードメイン名の登録画面を表示させ、登録するサーバードメイン名を入力して設定（登録）する。
本実施の形態では、このようにＭＦＰ１０に予めドメインコントローラの名称を登録した上で、認証処理を行うように構成されている。
【００４６】
認証が設定されているＰＣ−ＦＡＸシステムでは、ＰＣ−ＦＡＸシステムにおける各機能を利用する場合、ユーザーは、ドメインコントローラで認証に成功する必要がある。認証を設定することにより、ドメインコントローラにアカウントを持つユーザーだけが利用できるような環境を設定できる。従って、管理サーバー３０を管理する管理者によって利用者を制限することができる。
認証に成功するには、認証ＩＤとパスワードを入力する必要がある。ＭＦＰ１０において、図６（ａ）に示す認証ＩＤ入力画面を起動させ、認証ＩＤ（＝ユーザー名称）を入力（設定）する。すると、続いて図６（ｂ）に示すパスワード入力画面が起動されるため、ユーザーは、所定の欄にパスワードを入力する。
【００４７】
認証ＩＤ（＝ユーザー名称）およびパスワードの入力が終了すると、ＰＣ−ＦＡＸシステムは、ドメインコントローラ名称が登録されているドメインコントローラ（管理サーバー３０）に対して、問い合せ処理（確認処理）を行う。
なお、認証ＩＤ（＝ユーザー名称）とパスワードによるドメインコントローラにおける認証処理は、ＰＣ端末２０側からも、ＰＣ−ＦＡＸドライバを用いて行うことができる。
【００４８】
ＰＣ−ＦＡＸドライバにより認証を行う場合には、ＰＣ端末２０においてＰＣ−ＦＡＸドライバを起動させ、所定の認証画面においてユーザー名称とパスワードを続けて入力する。
詳しくは、図７に示す認証画面を起動させ、ＵｓｅｒＣｏｄｅフィールドにユーザー名称、ＵｓｅｒＩＤフィールドにパスワードを入力する。
認証ＩＤ（＝ユーザー名称）およびパスワードの入力が終了すると、ＰＣ−ＦＡＸシステムは、ＭＦＰ１０を介してドメインコントローラ名称が登録されているドメインコントローラ（管理サーバー３０）に対して、問い合せ処理（確認処理）を行う。
【００４９】
そして、ドメインコントローラ（管理サーバー３０）において問い合せ内容が認証されると、ＰＣ−ＦＡＸドライバは待機画面に移行する。一方、認証されなかった場合には、認証エラーが発生したことを画面上に表示し、ユーザーに対して認証に失敗したことを通知する。
認証エラーが生じた場合には、例えば、「ユーザー名称またはパスワードが違っている」、「ドメインコントローラ名称がない」、「ドメインコントローラ名称が正しくない」、「ドメインコントローラが異なるセグメントにありＷＩＮＳサーバーアドレスが正しく設定されていない」などのメッセージを表示させる。
【００５０】
次に、上述したＰＣ−ＦＡＸドライバにより認証を行う場合における、ユーザー名称およびパスワードの入力方法について説明する。
本実施の形態に係るＰＣ−ＦＡＸシステムでは、ＰＣ−ＦＡＸドライバにより認証を行う場合における、ユーザー名称およびパスワードの入力時に、予め設定されているアドレス帳を用いることができるように構成されている。
アドレス帳を用いたユーザー名称およびパスワードの入力方法について説明する。
ここでは、例えば、以下のユーザー名称およびパスワードが設定されている場合における、入力方法について説明する。
ユーザー名称：ＲＩＣＯＨ
パスワード：Ｆｕｊｉｗａｒａ１２
【００５１】
事前に、ＰＣ−ＦＡＸドライバにおけるオプション機能として設けられているアドレス帳への登録処理を行う。
詳しくは、ＰＣ−ＦＡＸドライバを起動し、図８に示すアドレス帳の登録画面を表示させる。
そして、アドレス帳Ｓｐｅｅｄ１８０に「ＲＩＣＯＨ」、Ｑｕｉｃｋ１４４に「Ｆｕｊｉｗａｒａ１２」を登録しておく。
ここでは、設定されている通りの文字列を登録しておく。
【００５２】
そして、ＰＣ−ＦＡＸドライバにより認証を行う際（認証時）に、図７に示す、ユーザー名称入力画面を起動させる。この状態において、図９に示すアドレス帳を開いて（起動させて）Ｓｐｅｅｄ１８０を選択し、“Ｓｅｔ  ａｓ  Ｄｅｓｔｉｎａｔｉｏｎ”ボタンを押下する。
すると、ＰＣ−ＦＡＸドライバは、アドレス帳からの選択を受け付け、ユーザー名称の入力欄に「ＲＩＣＯＨ」が入力される。
【００５３】
次に、パスワードの入力欄（画面）に移動し、図１０に示すアドレス帳を開いて（起動させて）Ｑｕｉｃｋ１４４を選択し、“Ｓｅｔ  ａｓ  Ｄｅｓｔｉｎａｔｉｏｎ”ボタンを押下する。
すると、ＰＣ−ＦＡＸドライバは、アドレス帳からの選択を受け付け、パスワードの入力欄に「Ｆｕｊｉｗａｒａ１２」が入力される。
【００５４】
アドレス帳を用いたユーザー名称およびパスワードの選択入力が終了した後、“Ｐｒｉｎｔ  ＆  Ｓｅｎｄ”ボタンが押下されると、ＰＣ−ＦＡＸドライバは、入力されたユーザー名称とパスワードをＭＦＰ１０に対して通知し、印刷要求をする。
ＭＦＰ１０はＰＸ−ＦＡＸドライバから通知されたユーザー名称とパスワードを、ネットワーク上のドメインコントローラ（管理サーバー３０）に認証しにいき、認証された場合は印刷を開始する。
なお、認証できなかった場合は、印刷拒否の旨をＰＣ−ＦＡＸドライバに通知する。
【００５５】
ＰＣ端末２０におけるキーボードを用いた入力操作は、大文字小文字の切り替え、ひらがな英数の切り替えなど煩雑になってしまうが、上述したように、ユーザー名称、パスワードを登録したアドレス帳を用いての入力操作を可能にすることにより、ＰＣ−ＦＡＸドライバにより認証を行う際（認証時）の入力操作の煩雑さを解消することができる。
【００５６】
（変形例）
次に、上述したＰＣ−ＦＡＸドライバにより認証を行う場合における、ユーザー名称およびパスワードの入力方法の変形例について説明する。
この変形例では、事前に行うアドレス帳への登録処理の際に、ＰＣ−ＦＡＸドライバを起動し、図８に示すアドレス帳の登録画面を表示させて、アドレス帳Ｓｐｅｅｄ１８０に「ＲＩＣＯＨ」、Ｑｕｉｃｋ１４３に「ｕｊｉｗａｒａ１」を登録しておく。
ここでは、ユーザー名称の入力に用いられる項目に、設定されている通りの文字列を登録しておく。一方、パスワードの入力に用いられる項目には、設定されている文字列の先頭の一文字“Ｆ”と、最後尾の一文字“２”を削除した文字列を登録しておく。
【００５７】
そして、ＰＣ−ＦＡＸドライバにより認証を行う際（認証時）に、図７に示す、ユーザー名称入力画面を起動させる。この状態において、図９に示すアドレス帳を開いて（起動させて）Ｓｐｅｅｄ１８０を選択し、“Ｓｅｔ  ａｓ  Ｄｅｓｔｉｎａｔｉｏｎ”ボタンを押下する。
すると、ＰＣ−ＦＡＸドライバは、アドレス帳からの選択を受け付け、ユーザー名称の入力欄に「ＲＩＣＯＨ」が入力される。
【００５８】
次に、パスワードの入力欄（画面）に移動し、はじめに、キーボードから“Ｆ”を入力しておく。そして、図１０に示すアドレス帳を開いて（起動させて）Ｑｕｉｃｋ１４３を選択し、“Ｓｅｔ  ａｓ  Ｄｅｓｔｉｎａｔｉｏｎ”ボタンを押下する。
すると、ＰＣ−ＦＡＸドライバは、アドレス帳からの選択を受け付け、パスワードの入力欄の“Ｆ”の後ろに「ｕｊｉｗａｒａ１」が入力される。
次に、「ｕｊｉｗａｒａ１」の文字列の後にキーボードから“２”を入力する。
なお、パスワードの入力操作中の画面には、設定されたパスワードの桁数の「＊」表示ではなく、例えばＱｕｉｃｋ１４３に登録されているパスワードの桁数の「＊」を表示し、設定登録された真のパスワードの桁数が推測できないようにすることが望ましい。
【００５９】
ユーザー名称およびパスワードの選択入力が終了した後、“Ｐｒｉｎｔ  ＆  Ｓｅｎｄ”ボタンが押下されると、ＰＣ−ＦＡＸドライバは、入力されたユーザー名称とパスワードをＭＦＰ１０に対して通知し、印刷要求をする。
なお、認証できなかった場合は、印刷拒否の旨をＰＣ−ＦＡＸドライバに通知する。
このように、アドレス帳におけるパスワードの入力に用いられる項目に、パスワードの設定文字列通りに登録せずに、登録設定されている文字列の先頭の一文字“Ｆ”と、最後尾の一文字“２”を削除した文字列を登録しておくことにより、認証操作におけるセキュリティを向上させることができる。
【００６０】
また、別の変形例として、事前に行うアドレス帳への登録処理の際に、ＰＣ−ＦＡＸドライバを起動し、図８に示すアドレス帳の登録画面を表示させて、アドレス帳Ｓｐｅｅｄ１９０に「ＩＣＯ」、Ｑｕｉｃｋ１４３に「ｕｊｉｗａｒａ１」を登録しておくようにしてもよい。
ここでは、ユーザー名称の入力に用いられる項目に、設定されている文字列の先頭の一文字“Ｒ”と、最後尾の一文字“Ｈ”を削除した文字列を登録しておく。一方、パスワードの入力に用いられる項目には、設定されている文字列の先頭の一文字“Ｆ”と、最後尾の一文字“２”を削除した文字列を登録しておく。
【００６１】
そして、ＰＣ−ＦＡＸドライバにより認証を行う際（認証時）に、図７に示す、ユーザー名称入力画面を起動させる。はじめに、キーボードから“Ｒ”を入力しておく。この状態において、図９に示すアドレス帳を開いて（起動させて）Ｓｐｅｅｄ１９０を選択し、“Ｓｅｔ  ａｓ  Ｄｅｓｔｉｎａｔｉｏｎ”ボタンを押下する。
すると、ＰＣ−ＦＡＸドライバは、アドレス帳からの選択を受け付け、ユーザー名称の入力欄の“Ｒ”の後ろに「ＩＣＯ」が入力される。
次に、「ＩＣＯ」の文字列の後にキーボードから“Ｈ”を入力する。
なお、ユーザー名称の入力操作中の画面には、設定されたユーザー名称の桁数の「＊」表示ではなく、例えばＳｐｅｅｄ１９０に登録されているユーザー名称の桁数の「＊」を表示し、設定登録された真のユーザー名称の桁数が推測できないようにすることが望ましい。
【００６２】
次に、パスワードの入力欄（画面）に移動し、はじめに、キーボードから“Ｆ”を入力しておく。そして、図１０に示すアドレス帳を開いて（起動させて）Ｑｕｉｃｋ１４３を選択し、“Ｓｅｔ  ａｓ  Ｄｅｓｔｉｎａｔｉｏｎ”ボタンを押下する。
すると、ＰＣ−ＦＡＸドライバは、アドレス帳からの選択を受け付け、パスワードの入力欄の“Ｆ”の後ろに「ｕｊｉｗａｒａ１」が入力される。
次に、「ｕｊｉｗａｒａ１」の文字列の後にキーボードから“２”を入力する。
なお、パスワードの入力操作中の画面には、設定されたパスワードの桁数の「＊」表示ではなく、例えばＱｕｉｃｋ１４３に登録されているパスワードの桁数の「＊」を表示し、設定登録された真のパスワードの桁数が推測できないようにすることが望ましい。
【００６３】
ユーザー名称およびパスワードの選択入力が終了した後、“Ｐｒｉｎｔ  ＆  Ｓｅｎｄ”ボタンが押下されると、ＰＣ−ＦＡＸドライバは、入力されたユーザー名称とパスワードをＭＦＰ１０に対して通知し、印刷要求をする。
なお、認証できなかった場合は、印刷拒否の旨をＰＣ−ＦＡＸドライバに通知する。
このように、アドレス帳におけるユーザー名称の入力に用いられる項目に、ユーザー名称の設定文字列通りに登録せずに、登録設定されている文字列の先頭の一文字“Ｒ”と、最後尾の一文字“Ｈ”を削除した文字列を登録し、パスワードの入力に用いられる項目に、パスワードの設定文字列通りに登録せずに、登録設定されている文字列の先頭の一文字“Ｆ”と、最後尾の一文字“２”を削除した文字列を登録しておくことにより、認証操作におけるセキュリティをさらに向上させることができる。
【００６４】
また、上述した本実施の形態のＰＣ−ＦＡＸシステムでは、ＰＣ−ＦＡＸドライバにおけるアドレス帳の登録設定項目、選択可能範囲の設定、認証時における入力操作方法（アドレス帳入力およびキーボードからの手入力の組合せ方法）などを管理サーバー３０において任意に設定できるように構成されている。そのため、管理サーバー３０（認証管理者）は、ＰＣ−ＦＡＸシステムの操作環境を任意に設定することができる。なお、管理サーバー３０（認証管理者）による任意設定を可能にする場合には、事前に認証管理者パスワードを設定しておく。
【００６５】
このように、管理サーバー３０（認証管理者）に各種設定における任意変更の権限を付与することにより、容易に適切なＰＣ−ＦＡＸシステム環境を構築することができ、利用状況に応じた制限（設定）を容易に実現することができる。
これにより、ＰＣ−ＦＡＸシステムにおける認証機能の利便性を向上させることができる。
【図面の簡単な説明】
【００６６】
【図１】本実施の形態に係るＰＣ−ＦＡＸシステムの概略構成を示した図である。
【図２】本実施の形態に係るＭＦＰの概略構成を示した図である。
【図３】本実施の形態に係るＰＣ端末のハードウェアの構成の一例を示した図である。
【図４】（ａ）は設定条件選択画面を示し、（ｂ）はキー割り付けの設定画面を示し、（ｃ）は確認画面を示し、（ｄ）はユーザーコードの指定画面を示した図である。
【図５】（ａ）は設定項目の選択画面を示し、（ｂ）はサーバードメイン名の登録画面を示した図である。
【図６】（ａ）は認証ＩＤ入力画面を示し、（ｂ）はパスワード入力画面を示した図である。
【図７】認証画面の一例を示した図である。
【図８】アドレス帳の登録画面の一例を示した図である。
【図９】アドレス帳の一例を示した図である。
【図１０】アドレス帳の一例を示した図である。
【符号の説明】
【００６７】
１０  ＭＦＰ
２０  ＰＣ端末
３０  管理サーバー
４０  ＬＡＮ
５０  電話回線網
６０  ＦＡＸ装置
１０１  スキャナ
１０２  プロッタ
１０３  符号化復号化部
１０４  画像メモリ
１０５  情報ボックス用メモリ
１０６  操作表示部
１０７  モデム
１０８  網制御部
１０９  システム制御部
１１０  ＲＯＭ
１１１  ＲＡＭ
１１２  シリアルＩ／Ｆ
１１３  ＡＴコマンド解析部
２００  制御部
２２４  入力装置
２２５  出力装置
２２６  入出力Ｉ／Ｆ
２２７  記憶装置
２２８  バスライン
【図１】
2006345232.tif 000003
【図２】
2006345232.tif 000004
【図３】
2006345232.tif 000005
【図４】
2006345232.tif 000006
【図５】
2006345232.tif 000007
【図６】
2006345232.tif 000008
【図７】
2006345232.tif 000009
【図８】
2006345232.tif 000010
【図９】
2006345232.tif 000011
【図１０】
2006345232.tif 000012